(57)【特許請求の範囲】
【請求項１】
電磁波エネルギーを発射可能な電源供給コイルモジュール及び電力エネルギーを電磁波誘導受信することができる受電コイルモジュールを含み、そのうち、該電源供給コイルモジュール及び受電コイルモジュールは、それぞれ高磁性伝導率特性を有する細長状を呈する磁性導体を有し、磁性導体上に絶縁導線を利用し、同一方向に巻き付け、第１コイルを形成し、且つ第１コイルが磁性導体に沿って所定長さ延伸した後、続けて逆向きに巻き付け、第２コイルを形成し、第１コイル及び第２コイルの間に所定間隔を有する誘導区間を形成することによって、順に少なくとも２組の異なる巻き付け方向を呈し、且つ互いに所定間隔を隔てる第１コイル及び第２コイルを具える誘導コイルを巻き付けて形成し、電力を伝送するエネルギー量がただ２つの電源供給コイルモジュール及び受電コイルモジュールそれぞれの第１コイル及び第２コイルの間に対向して形成される前記誘導区間においてのみ伝送されるようにしていることを特徴とする電子装置の無線充電コイル構造。
【請求項２】
前記電源供給コイルモジュール及び受電コイルモジュールの各磁性導体の誘導コイルの誘導区間に位置する箇所にそれぞれ少なくとも１つの嵌合溝を設け、且つ各嵌合溝内に磁鉄を結合定位し、２つの磁性導体上の異なる極性の磁鉄の相互の吸引によりその誘導区間に相互の整列を形成させ、磁性導体断面が正方形、矩形又は多辺形を呈し、且つ各磁性導体がそれぞれ前記高磁性伝導率特性を有する鉄粉芯（Ｉｒｏｎ  Ｐｏｗｄｅｒ）、鉄ニッケルモリブデン芯（ＭＰＰ）、鉄シリコンアルミ磁芯（Ｓｅｎｄｕｓｔ）、フェライト芯（Ｆｅｒｒｉｔｅ）、ハイフラックス粉芯（Ｈｉｇｈ  Ｆｌｕｘ Ｃｏｒｅｓ）の少なくとも１つであることを特徴とする請求項１に記載の電子装置の無線充電コイル構造。
【請求項３】
前記電源供給コイルモジュール及び受電コイルモジュールの各磁性導体上の誘導区間箇所に少なくとも１つの磁鉄を定位し、２つの磁性導体上の異なる極性の磁鉄の相互の吸引によりその誘導区間に相互の整列を形成させ、磁性導体断面が正方形、矩形又は多辺形を呈し、且つ各磁性導体がそれぞれ前記高磁性伝導率特性を有する鉄粉芯（Ｉｒｏｎ  Ｐｏｗｄｅｒ）、鉄ニッケルモリブデン芯（ＭＰＰ）、鉄シリコンアルミ磁芯（Ｓｅｎｄｕｓｔ）、フェライト芯（Ｆｅｒｒｉｔｅ）、ハイフラックス粉芯（Ｈｉｇｈ  Ｆｌｕｘ Ｃｏｒｅｓ）の少なくとも１つであることを特徴とする請求項１に記載の電子装置の無線充電コイル構造。
【発明の詳細な説明】
【技術分野】
【０００１】
本発明は、電子装置の無線充電コイル構造に関し、特に、磁性導体上で絶縁導線を利用し、第１コイルに巻き付け、且つ第１コイルが所定長さに延伸した後、継続して逆向きに巻き付けて第２コイルを形成し、第１コイル及び第２コイルの間の誘導区間の誘導電力を利用し、この種の構造において、狭い誘導面でエネルギーを伝送する装置内部での使用に応用できる電子装置の無線充電コイル構造に関する。
【背景技術】
【０００２】
現在の電子科学技術及びマルチメディア情報通信の迅速な発展は、ノート型パソコン、タブレットＰＣ、スマートフォン、ＰＤＡ等のハンドヘルド式電子装置を何れも軽薄短小且つ多機能の趨勢へ発展させ、主に体積が小さく、質量が軽く、携帯に便利である等の特色を有し、更に、ソフトウェア、ハードウェアの機能が絶えず更新され、使用上、更に実用的効果を有する結果、既に人々の作業及び生活娯楽中に不可欠な一部分となって、広く応用されている。
【０００３】
しかしながら、ハンドヘルド式電子装置が常時携帯使用を達成する為に、先ず解決すべき問題は、電源の問題である。一般に最も普遍的方式は、ハンドヘルド式電子装置内部に充電電池を取り付けることにより、１つの互換性のある電源供給器を組み合わせ充電電池の電力が消耗した時に新たに充電するというものである。各メーカーのハンドヘルド式電子装置の規格が異なり、それぞれ異なる電源供給器を使用して初めて充電でき、購入設置費用により大幅にコストを上昇させ、多くのハンドヘルド式電子装置の電源供給器を有する場合、電線の整理に不便であり、空間を占有するだけでなく、収納又は携帯使用にも不便である。
【０００４】
更に、あるメーカーは、この問題に対し、電磁波誘導を利用し、電力を伝送する誘導式電源供給器、又は無線式充電器と称するものを研究開発し、その無接点電磁波誘導電源供給方式は、極めて良好な利便性を有するので、市場において、すぐに注目を集め、電磁波誘導電源供給方式は、簡単に述べれば、２つの誘導コイルの相互の誘導交流電流を利用し、電力を伝送し、その原理は、従来の巻き線式電力変圧器と同じであり、異なる電子装置に誘導コイルを内蔵し、異なる電子装置の充電を同時に支援することができる。これにより、電源供給器が相互に支援、交換使用できず、携帯に不便である等の問題を解決することができる。
【０００５】
現在の市場における誘導式電源供給器は、多くが２つのコイルモジュールを発射電力の電源供給端及び電力を受ける受電端として運用し、コイルモジュールの磁性材料上に誘導コイルを巻き付ける必要があり、コイルモジュールの誘導面を介して電力を伝送する。そのため、コイルモジュール設計において、相當な電力伝送量を具備するとともに、コンデンサを組み合わせ、回路を介して共振を発生し、無線電力の伝送を行う必要がある。
【０００６】
図７は、従来の誘導式の電源供給器の説明図であり、図７から分かるように、この種の電源供給器は、早期の電力変圧器から電磁誘導式に分離し電力伝送するものであり、そのうち、該二組のＥ型鉄芯Ａの中柱上にそれぞれ独立した環形コイルＢを巻き付け、Ｅ型鉄芯Ａの空気の隙間を利用し、エネルギー保存を行い、比較的低い、フラックス又は漏れインダクタンスを有している。この種の電源供給器は、誘導式電源供給器の回路上に応用する時、結合過程において、磁場誘導損失が大き過ぎて変換効率を低減させる。その対策としては、比較的大きなＥ型鉄芯Ａを使用してその有効断面積を向上させるか、巻き線巻き数及び空気の隙間を増加させ、誘電電力の能力を強化するが、それによりＥ型鉄芯Ａ自身が厚くなり過ぎて軽く便利であることが要求されるハンドヘルド式電子装置上の使用に適さない。
【０００７】
図８は、もう１つの従来の誘導式電源供給器の説明図であり、図８から分かるように、この種の電源供給器は、現在市販の無線充填装置の主流製品の製造方法であり、そのうち、該平板基台Ｃ上に、中空の平面渦形コイルＤを巻き付け、渦形コイルＤの誘導を利用し、電力を伝送し、無線電力エネルギーが電力供給端の渦形コイルＤの上下面で発送され、且つ無線電力エネルギーが受電端の渦形コイルＤに伝送された後、全て渦形コイルＤにより誘導受信されることはできず、この伝送電力のエネルギー量は、周辺設備又は装置により受け取られた後、熱量を発生し、危険を生じる。このため、製品設計において、渦形コイルＤ上の平板基台Ｃは、電磁波を隔絶可能な磁性材料で製造する必要がある。
【０００８】
磁性材料は、電磁波特性に対し、反射、吸収及び伝導に分けることができ、この設計において、良好な電力伝送の効率を得るため、一般の方法は、通常電力供給端の渦形コイルＤの未誘導面に反射特性が良好な磁性材料を加え、平板基台Ｃとする必要もある。この種の方法は、良好な転換効率を得ることができるが、反射及び吸収特性を有する電磁材料により製造が容易でなく、価格上も高価であり、コストを効率的に低減することができない。また、渦形コイルＤは、平板基台Ｃ上に巻き付ける誘導面積が大きくなるほど、良好な電磁誘導電力の能力を得ることができるが、渦形コイルＤの形状により円形に近いことにより精巧なハンドヘルド式電子装置中に設置することが容易でなく、全体の使用機能及び効果に制限を受けるので、更なる改良の必要があり、当業者が研究改善の方向を要望するところである。
【０００９】
従って、本願の発明者は、上記従来の使用上の問題及び欠陥に鑑み、関連資料を収集し、多方面の評価及び考慮を経て、当業界に長年従事した経験を用い、絶え間ない試作及び修正を行い、ようやくこの種の電子装置の無線充電コイル構造の発明を設計している。
【００１０】
従来、電磁誘導で電力エネルギーを伝送するシステムとして例えば特許文献１に開示されているものがあり、また無線電力伝送に基づく無線充電コイルに関する装置として例えば特許文献２に開示されているものがある。
【先行技術文献】
【特許文献】
【００１１】
【特許文献１】特開２０１１−２３４０５１号公報
【特許文献２】特開２０１０−２３３１２４号公報
【発明の概要】
【発明が解決しようとする課題】
【００１２】
本発明の目的は、電源供給コイルモジュール及び受電コイルモジュールがそれぞれ細長状を呈する磁性導体を有し、各モジュールの磁性導体上には、絶縁導線を利用し同一方向に巻き付け第１コイルを形成し、且つ第１コイルが磁性導体に沿って所定長さだけ延伸した後、逆向きに巻き付けて第２コイルを形成する。これにより、少なくとも２組の第１コイル及び第２コイルを有する誘導コイルを順に巻き付けることができ、第１コイル及び第２コイルの間に所定間隔を有する誘導区間を形成し、電磁誘導を行い、信号及び電力エネルギーを伝送する。この種の構造は、平面型ハンドヘルド式電子装置に応用できるだけでなく、その他の無線伝送システムが必要とする狭い誘導面でエネルギー伝送する装置内部での使用に応用することもできるようにすることである。ここで、狭い誘導面とは、電力誘導する誘導面の広さを狭くして使用することもできることをいう。
【００１３】
本発明のもう１つの目的は、電源供給コイルモジュール又は受電コイルモジュールを、回路を介し電力エネルギーを受け取る受電用誘導コイルとするか、電磁波エネルギーを発射する電源供給用誘導コイルとし、これにより、１台目の電子装置を電源供給モードに設定し、受電モードに設定する他の一台の電子装置に伝送し、１台目の電子装置の左右二側又は表面及び底辺又は側辺に相互に近接設置するか、他の一台の電子装置に積層することもでき、電源供給コイルモジュール又は受電コイルモジュールを電子装置内部の底面又は側辺箇所に設置できる。従って、充電時に複数台の電子装置を相互に近接設置又は平面上に積層し、相互の距離を近接し、電磁誘導の方式を利用し、信号及び電力エネルギーを伝送し、充電の効果を達成することができるようにすることである。
【００１４】
本発明の更にもう１つの目的は、電源供給コイルモジュール及び受電コイルモジュールの各誘導コイルが電力を伝送するエネルギー量が第１コイル及び第２コイルの間に形成する誘導区間のみで伝送を行うことができ、全体の電力伝送をより安定させ、且つ磁性導体自身が高磁性伝導率の特性を有し、電磁波散乱の状況の発生を効率的に抑制でき、同時にその他の電気装置又は設備の正常動作に干渉することを回避し、誘導コイルの非誘導区間に遮蔽用の磁性材料を増設する必要がなく、安全に使用することができるようにすることである。 
本発明の更にもう１つの目的は、電源供給コイルモジュール及び受電コイルモジュールの各磁性導体上に巻き付ける方向を交替でき、順に巻き付け誘導コイルがアレイ状を呈する第１コイル及び第２コイルを形成し、コイルモジュール及び受電コイルモジュールを電子装置内部底面又は側辺に設置し、誘導コイルの第１コイル及び第２コイルの間に形成する誘導区間に電力誘導を行い、この種の平面型電子装置全体の厚さを増加させない状況において、平面型電子装置又はその他の無線電力伝送システムの狭い誘導面でエネルギーを伝送する設計構造に応用でき、製品軽薄短小の設計の要求に適合できるようにすることである。
【００１５】
本発明の更にもう１つの目的は、電源供給コイルモジュール及び受電コイルモジュールの各磁性導体が誘導コイルに位置する誘導区間にそれぞれ少なくとも１つの嵌合溝を設け、且つ各嵌合溝内に異なる極性を有する磁鉄を定位するか、磁鉄を直接磁性導体上の誘導区間に定位し、２つの磁性導体上の異なる極性の磁鉄の相互の磁性吸引を利用し、その誘導区間に相互の整列を形成し、且つ電源供給端及び受電端の電源供給コイルモジュール及び受電コイルモジュールの誘導区間で相互の距離が接近し、受電コイルモジュールの電磁波誘導が受け取る電力エネルギーの強度を大幅に増加させ、その誘電電流を向上させ、且つより安定させ、受電コイルモジュールの変換効率を向上し、全体の電力伝送の効率をより良好にすることができるようにすることである。
【課題を解決するための手段】
【００１６】
本発明の一態様の電子装置の無線充電コイル構造は、電磁波エネルギーを発射可能な電源供給コイルモジュール及び電力エネルギーを電磁波誘導受信することができる受電コイルモジュールを含み、そのうち、該電源供給コイルモジュール及び受電コイルモジュールは、それぞれ高磁性伝導率特性を有する細長状を呈する磁性導体を有し、磁性導体上に絶縁導線を利用し、同一方向に巻き付け、第１コイルを形成し、且つ第１コイルが磁性導体に沿って所定長さ延伸した後、続けて逆向きに巻き付け、第２コイルを形成し、第１コイル及び第２コイルの間に所定間隔を有する誘導区間を形成することによって、順に少なくとも２組の異なる巻き付け方向を呈し、且つ互いに所定間隔を隔てる第１コイル及び第２コイルを具える誘導コイルを巻き付けて形成し、電力を伝送するエネルギー量がただ２つの電源供給コイルモジュール及び受電コイルモジュールそれぞれの第１コイル及び第２コイルの間に対向して形成される前記誘導区間においてのみ伝送されるようにしている電子装置の無線充電コイル構造である。
【発明の効果】
【００１７】
本発明によれば、平面型電子装置全体の厚さを増加させずに、例えば平面型ハンドヘルド式電子装置に応用できるだけでなく、その他の無線伝送システムが必要とする狭い誘導面でエネルギー伝送する装置内部での使用に応用することもでき、充電時に複数台の電子装置を相互に近接設置又は平面上に積層し、相互の距離を近接し、電磁誘導を利用して充電の効果を達成でき、全体の電力伝送の効率を向上させ、しかも全体の電力伝送を安定かつ安全に行うことができる。電磁波散乱の状況の発生を効率的に抑制でき、同時にその他の電気装置又は設備の正常動作に干渉することを回避し、誘導コイルの非誘導区間に遮蔽用の磁性材料を増設する必要がなく、より安全に使用することができる。
【図面の簡単な説明】
【００１８】
【図１】本発明の立体外観図である。
【図２】本発明の電磁誘導説明図である。
【図３】本発明の好適実施例の立体外観図である。
【図４】本発明のもう１つの好適実施例の立体外観図である。
【図５】本発明の更にもう１つの好適実施例の立体外観図である。
【図６】本発明のまた更にもう１つの好適実施例の立体外観図である。
【図７】従来の誘導式電源供給器の説明図である。
【図８】もう１つの従来の誘導式電源供給器の説明図である。
【発明を実施するための形態】
【００１９】
上記の目的及び効果を達成する為に本発明が採用する技術手段及びその構造を分かり易くする為、本発明の好適実施例を挙げ、図面に合わせて以下にその特徴及び機能を説明する。
【００２０】
図１、図２、図３及び図４を参照し、それは、本発明の立体外観図、電磁誘導の説明図、好適実施例の立体外観図、及びもう１つの好適実施例の立体外観図であり、図から分かるように、本発明は、電源供給コイルモジュール１及び受電コイルモジュール２を含み、本願の主要部材及び特徴は、その詳細を後で記載する。
【００２１】
上記電源供給コイルモジュール１は、磁性導体１１及び誘導コイル１２を有し、そのうち、磁性導体１１は、細長状を呈し、磁性導体１１上に長辺方向に沿って絶縁導線１２０を利用し、外側から内側へ所定巻き数だけ同一方向に巻き付け第１コイル１２１を形成し、且つ第１コイル１２１が磁性導体１１に沿って所定長さまで延伸した後、続けて所定長さだけ逆向きに巻き付け、第２コイル１２２を形成し、引き出しを行い、第１コイル１２１及び第２コイル１２２の間に所定間隔を有する誘導区間１０を形成させ、これにより、順に巻き付け、少なくとも２組の異なる巻き付け方向を呈し、且つ互いに所定間隔を隔てる第１コイル１２１及び第２コイル１２２を具える誘導コイル１２を形成することができる。
【００２２】
上記該受電コイルモジュール２は、磁性導体２１及び誘電コイル２２を有し、そのうち、磁性導体２１は、細長状を呈し、磁性導体２１上に長辺方向に沿って絶縁導線２２０を利用し、外側から内側へ所定巻き数だけ同一方向に巻き付け第１コイル２２１を形成し、且つ第１コイル２２１が磁性導体２１に沿って所定長さまで延伸した後、続けて所定長さだけ逆向きに巻き付け、第２コイル２２２を形成し、引き出しを行い、第１コイル２２１及び第２コイル２２２の間に所定間隔を有する誘導区間２０を形成させる。これにより、順に巻き付け、少なくとも２組の異なる巻き付け方向を呈し、且つ互いに所定間隔を隔てる第１コイル２２１及び第２コイル２２２を具える誘導コイル２２を形成することができる。
【００２３】
更に、上記の電源供給コイルモジュール１及び受電コイルモジュール２の磁性導体１１、２１は、それぞれ高磁性伝導率特性を有する磁性材料、例えば、鉄粉芯（Ｉｒｏｎ  Ｐｏｗｄｅｒ）、鉄ニッケルモリブデン芯（ＭＰＰ）、鉄シリコンアルミ磁芯（Ｓｅｎｄｕｓｔ）、フェライト芯（Ｆｅｒｒｉｔｅ）、ハイフラックス粉芯（Ｈｉｇｈ  Ｆｌｕｘ Ｃｏｒｅｓ）又はその他の同等効果の磁性材料である。この種の磁性材料は、市場の誘導部品中に大量に応用されているので、生産製造コストが相対して比較的低く、且つ磁性導体１１，２１断面が正方形、矩形、多辺形又はその他の形状設計を呈することができる。磁性導体１１、２１はハンドヘルド式電子装置３又は外付けドッキングステーション（Ｄｏｃｋｉｎｇ  Ｓｔａｔｉｏｎ）４全体の寸法の大きさに合わせて製造を行うことができ、このように、電磁理論に基づき、誘導コイル１２，２２を磁性導体１１，２１上に巻き付けた後、無線電力伝送システムが必要なインダクタンスに合わせ、その巻き付ける線径、巻き数及び層数を調整し、簡易な電源供給コイルモジュール１及び受電コイルモジュール２を完成することができる。
【００２４】
本発明の使用時、先ず、電源供給コイルモジュール１をコンピュータ周辺、サラウンドスピーカー、高速光ファイバネットワーク又はその他の周辺設備のドッキングステーション４内部に設置し、電源供給コイルモジュール１の誘導コイル１２の二端を電源駆動回路又は制御回路に接続し、受電コイルモジュール２は、ハンドヘルド式電子装置３の内部に設置でき、且つ受電コイルモジュール２の誘電コイル２２の二端が整流フィルタ回路又は充電回路に接続し、ハンドヘルド式電子装置３（例えば、タブレットＰＣ、スマートフォン、ＰＤＡ等）をドッキングステーション４上に直立設置することができ、電源供給端によりドッキングステーション４の電源駆動回路又は制御回路に接続し、電源供給コイルモジュール１の磁性導体１１及び誘導コイル１２とがマッチングして共振し、発振し、無線充電電磁波エネルギーをハンドヘルド式電子装置３に発射し、受電コイルモジュール２の磁性導体２１を利用し、第１コイル２２１及び第２コイル２２２の間に形成する誘導区間２０に合わせて電磁波誘導を行い、電力エネルギーを受け取り、周期的に変化する電磁場を介し電流を誘導した後、整流フィルタ回路又は充電回路により信号を伝送又は電流を誘導し、電力供給を行い、周辺設備に対し、信号伝送を行うか、ハンドヘルド式電子装置３に対し充電作業等を行い、電磁誘導の方式を利用し、エネルギーを伝送し、無線充電の目的を達成することができる。この種の電源供給コイルモジュール１及び受電コイルモジュール２に巻き付けられる第１コイル１２１，２２１に対しては、一組の異なる巻き付け方向を呈し相反する極性の第２コイル１２２，２２２が追加される。その目的は、電力を伝送するエネルギー量がただ２つの電源供給コイルモジュール１及び受電コイルモジュール２の第１コイル１２１，２２１及び第２コイル１２２，２２２の間に形成される誘導区間１０，２０においてのみ伝送されるようにし、全体の電力伝送を更に安定させ、また、磁性導体１１，２１自身が高磁性伝導率特性を有し、電磁波が散乱する状況の発生を効率的に制御し、同時にその他の電気装置又は設備の正常動作の干渉を回避し、誘導コイル１２，２２の非誘導区間に好適な電磁波吸収特性又は遮蔽用の磁性材料を増設する必要もなく、安全に使用することができる。
【００２５】
図５、図６は、それぞれ本発明の更にもう１つの好適実施例の立体外観図及び、また更にもう１つの好適実施例の立体分解図である。図５から分かりますように、そのうち、該電源供給コイルモジュール１及び受電コイルモジュール２の磁性導体１１、２１が細長状矩形状を呈することができ、磁性導体１１、２１上に所定の巻き数に基づき、巻き付け方向を交替し、誘導コイル１２，２２がアレイ状を呈する第１コイル１２１，２２１及び第２コイル１２２，２２２を順に巻き付けて形成し、この巻き方に変化を加え、電源供給コイルモジュール１及び受電コイルモジュール２をハンドヘルド式電子装置３内部の底面又は側辺に設置し、誘導コイル１２，２２の第１コイル１２１，２２１及び第２コイル１２２，２２２の間に形成する誘導区間１０，２０を利用し、電力の誘導を行い、このように、平面型ハンドヘルド式電子装置３の全体の厚さの状況を増加させない状況において、電源供給コイルモジュール１及び受電コイルモジュール２を平面型ハンドヘルド式電子装置３又はその他の電力伝送システムの狭い誘導面でエネルギーを伝送する設計構造に応用することができ、製品の軽薄短小の設計の要求に適合することができる。
【００２６】
図５、図６は、それぞれ本発明の更にもう１つの好適実施例の立体外観図及び、また更にもう１つの好適実施例の立体分解図である。図５から分かりますように、そのうち、該電源供給コイルモジュール１及び受電コイルモジュール２の磁性導体１１、２１が細長状矩形状を呈することができ、磁性導体１１、２１上に所定の巻き数に基づき、巻き付け方向を交替し、誘導コイル１２，２２がアレイ状を呈する第１コイル１２１，２２１及び第２コイル１２２，２２２を順に巻き付けて形成し、この巻き方に変化を加え、電源供給コイルモジュール１及び受電コイルモジュール２をハンドヘルド式電子装置３内部の底面又は側辺に設置し、誘導コイル１２，２２の第１コイル１２１，２２１及び第２コイル１２２，２２２の間に形成する誘導区間１０，２０を利用し、電力の誘導を行い、このように、平面型ハンドヘルド式電子装置３の全体の厚さの状況を増加させない状況において、電源供給コイルモジュール１及び受電コイルモジュール２を平面型ハンドヘルド式電子装置３又はその他の電力伝送システムの狭い誘導面でエネルギーを伝送する設計中に応用することができ、製品の軽薄短小の設計の要求に適合することができる。
【００２７】
更に、図６に示すように、上記の電源供給コイルモジュール１及び受電コイルモジュール２の磁性導体１１，２１の誘導コイル１２，２２に位置する誘導区間１０，２０箇所は、更にそれぞれ少なくとも１つの嵌合溝１１１，２１１を設け、且つ各嵌合溝１１１，２１１内にそれぞれ異なる極性の磁鉄１３，２３を結合定位するか、少なくとも１つの異なる極性の磁鉄１３，２３をそれぞれ磁性導体１１，２１上の対応する誘導区間１０，２０箇所に直接定位し、２つの磁性導体１１，２１上の異なる極性の磁鉄１３，２３の相互の磁性吸引によりその誘導区間１０，２０箇所に相互の整列を形成させ、且つ電源供給端及び受電端の電源供給コイルモジュール１及び受電コイルモジュール２の誘導区間１０，２０の相互の距離が接近し、受電コイルモジュール２の電磁波誘導が受け取る電力エネルギーの強度を大幅に増加させ、その誘導電流を向上させ、且つ更に安定させ、受電コイルモジュール２の変換効率を向上させ、全体の電力伝送の効率をより良好にする。
【００２８】
なお、本発明では好ましい実施例を前述の通り開示したが、これらは決して本発明に限定するものではなく、当該技術を熟知する者なら誰でも、本発明の精神と領域を逸脱しない均等の範囲内で各種の変更や変形を加えることができることは勿論である。
【符号の説明】
【００２９】
１  電源供給コイルモジュール
１０  誘導区間
１１  磁性導体
１１１  嵌合溝
１２  誘導コイル
１２０  絶縁導線
１２１  第１コイル
１２２  第２コイル
１３  磁鉄
２  受電コイルモジュール
２０  誘導区間
２１  磁性導体
２１１  嵌合溝
２２  誘導コイル
２２０  絶縁導線
２２１  第１コイル
２２２  第２コイル
２３  磁鉄
３  電子装置
４  ドッキングステーション
Ａ  Ｅ型鉄芯
Ｂ  環形コイル
Ｃ  平板基台
Ｄ  渦形コイル
【図１】
0005553368.tif 000002
【図２】
0005553368.tif 000003
【図３】
0005553368.tif 000004
【図４】
0005553368.tif 000005
【図５】
0005553368.tif 000006
【図６】
0005553368.tif 000007
【図７】
0005553368.tif 000008
【図８】
0005553368.tif 000009